(57)【特許請求の範囲】
【請求項１】
煙火の打ち揚げに際して煙火に被覆して使用され、煙火の打ち上げによって破れる煙火保護シートであって、
自己消火型の不燃紙からなる基材シートと、
該基材シートの片面に被覆された樹脂フィルムからなる防水層のみからなり、
該防水層を構成する樹脂フィルムには、生分解性樹脂からなる透明の合成樹脂フィルムが用いられるとともに、
前記樹脂フィルムの厚さが基材シートの厚さの５分の１以下である
煙火保護シート。
【請求項２】
前記基材シートの厚さが０．１２ｍｍであるとともに、前記防水層の厚さが０．０２ｍｍである
請求項１に記載の煙火保護シート。
【請求項３】
前記基材シートが、水酸化アルミニウムを７５〜８０％含有する白色の不燃紙である
請求項１または請求項２に記載の煙火保護シート。
【発明の詳細な説明】
【技術分野】
【０００１】
この発明は、煙火を火や水から守るのに好適で簡易に使用できるような煙火保護シートに関する。
【背景技術】
【０００２】
物品を火や水から守る方法の一つとして、物品に対してシートを被せることが行われている。そのようなシートとしては、フッ素樹脂を用いて製造された防火シートのように防火性や防水性を備えたものがある。このほか、下記特許文献１に開示されているように、強度を有する特定構造の積層フィルムを不燃シートの少なくとも片面に積層したものもある。
【０００３】
しかし、防火性と防水性を兼ね備えたシートで、紙のように簡単で手軽に使用できる比較的安価なものは存在しなかった。
【０００４】
たとえば、煙火（花火）の打ち揚げに際しては、不測の降雨で煙火玉が濡れたり、打ち揚げ時に未着火の煙火玉に火が移ったりすることを防止し、煙火玉を保護する必要があり、煙火が仕込まれたセットを特殊な防火シートで覆って、打ち揚げ前の煙火玉を保護していた。
【０００５】
ところが、防火シートで覆った場合には、打ち揚げ直前に防火シートを取り外す必要があり、手間がかかる上に、コンピュータ制御による連続打ちなどの様々な打ち揚げ方に対応できない場合がある。
【０００６】
このため、煙火玉を覆ったままでも打ち揚げができるように、打ち揚げられた煙火玉で破れる薄いビニルシートを被せることが行われることがあるが、落下物の落下の衝撃でビニルシートに穴が開いたり、煙火の火の粉が落下することでビニルシートが溶けて穴があいたりすることがあった。不測に穴があいてしまった場合には、煙火玉に着火してしまうおそれがある。
【０００７】
このようなことがあるので、クラフト紙にアルミニウム箔を貼合したシートが提案されている。このシートは、アルミニウム箔を有する面を上にして使用し、覆った煙火玉を上からかかる火や水から保護する。しかし、煙火の打ち揚げに際して煙火玉はシートを下から破って揚がるので、煙火玉が打ち揚げられたときにクラフト紙に火が移る可能性がある。また、アルミニウム箔はその性質上、破れやすく、使用時にアルミニウム箔が部分的に剥がれていたりすることがあり、このようなときにはアルミニウム箔はその機能を果たさない。
【０００８】
そのうえ、煙火の打ち揚げによって破られたシートは、空中に舞い上がり周辺に散らばることになり、その飛散したシートの破片が周囲の環境を害する。このため打ち揚げ後にシートの破片を回収する必要があるが、その手間がかかる上に、シートがアルミニウム箔を備えているので、飛散したゴミは見た目に目立ち、たとえばゴルフ場などに飛散した場合には、ゴルフ場の機能を大きく損なうことになる。
【特許文献１】特許第２６８１９７６号公報
【発明の開示】
【発明が解決しようとする課題】
【０００９】
そこで、この発明は、防火性および防水性を兼ね備えた簡易に使用できる煙火保護シートの提供を主たる課題とする。
【課題を解決するための手段】
【００１０】
そのための手段は、煙火の打ち揚げに際して煙火に被覆して使用され、煙火の打ち上げによって破れる煙火保護シートであって、自己消火型の不燃紙からなる基材シートと、該基材シートの片面に被覆された樹脂フィルムからなる防水層のみからなり、該防水層を構成する樹脂フィルムには、生分解性樹脂からなる透明の合成樹脂フィルムが用いられるとともに、前記樹脂フィルムの厚さが基材シートの厚さの５分の１以下である、煙火保護シートである。
【００１１】
不燃性の基材シートの片面に防水層が形成されているので、基材シートにおける防水層がある面では防水が図れ、防水層がない面では防火が図れる。また、防水層は基材シートや、当該煙火保護シートで覆った部分が濡れるのを防ぐとともに、基材シートを補強して、落下物による穴あきを防ぐ。そのうえ防水層は樹脂フィルムからなるので、アルミニウム箔で構成した場合に比して、剥げたりし難く、本来の機能が不測に損なわれることはなく、基材シートの片面において所望の機能を果たす。一方、基材シートは、基材シート自体が燃えるのを防ぐほか、自己消火型であるので、防水層に着火した場合でもその火を消すことができる。その上、防水層を構成する樹脂フィルムを補強する。
【００１２】
このように、不燃性の基材シートと可燃性の樹脂フィルムとの組合せで、それぞれの特性を減殺することなく、逆にそれらの特性を活かした煙火保護シートを得られる。
【００１３】
また、上記防水層には、生分解性樹脂からなる樹脂フィルムを使用しているので、使用後の処理が容易であるという利点を得られる。
【００１４】
製造にあたっては、防水層を構成する樹脂フィルムを基材シートに対して接着剤を用いて貼合するとよい。既存のシートやフィルムを用いることができるので、安価に製造できる。
【００１５】
このような煙火保護シートは、防水層がある面を上にして、煙火玉を仕込んだセットの上に被せて使用される。すると、防水層が基材シートや被覆されたセットを水から守るとともに、基材シートの強度を補い、落下物による穴あきを防止する。同時に、基材シートは、煙火玉が打ち揚げられた時に火が着いても燃焼を防ぎ、同様にして、煙火の火の粉が降りかかって防水層を燃やした場合でも、その燃焼を防ぐ。また、防水層の強度を補う。
【００１６】
また、上記防水層を構成する樹脂フィルムの厚さは、基材シートの厚さの５分の１以下に設定されているので、不燃性の基材シートと可燃性の防水層とのそれぞれの特性を減殺することはなく、煙火保護シートとして一層ふさわしい保護シートを得られる。すなわち、樹脂の使用量を低減できるので、環境にかかる負担を軽減できるとともに、防水層が燃えやすい性質であっても、基材シートの厚さが防水層に比して厚いので、充分に防水層の消火ができる。また、不燃紙の特性を減殺しないで、防水や補強の機能を得ることができ、いわば、基材シートと防水層の各部の能力を最大限に引き出せる。
【００１７】
さらに、上記生分解性樹脂からなる樹脂フィルムは、基材シートに対して、米の粉からなるみじんこを用いた接着剤で貼合されるとよい。防水層が生分解性で環境に負担をかけるものでないうえに、接着剤も環境に負担をかけるもではないので、煙火を打ち揚げた後の飛散した煙火保護シートの処理が容易である。しかも、煙火保護シートはアルミニウム箔を使用した場合に比して、見た目にも邪魔になることはない。
【発明の効果】
【００１８】
以上のように、この発明によれば、普通の紙のように簡易に使用できる煙火保護シートを得られる。
【発明を実施するための最良の形態】
【００１９】
この発明を実施するための一形態を、以下図面を用いて説明する。  
図１は、防火性と防水性を備えた保護シート１１の斜視図であり、この図に示すように、保護シート１１は、適宜大の薄いシート状をなし、一般的な紙のようにロール状に巻かれており、必要な大きさや必要な形状に裁断され、また適宜に加工されて使用されるものである。
【００２０】
上述のように保護シート１１は、防火性と防水性を兼ね備えるもので、図２に示した如く、自己消火型の不燃紙からなる基材シート１２と、該基材シート１２の片面に形成された樹脂フィルム１３からなる防水層とで構成されている。
【００２１】
基材シート１２を構成する不燃紙には、たとえば水酸化アルミニウムを含有した水酸化アルミニウム混抄紙が使用できる。好ましくは、水酸化アルミニウムが７５〜８０％ほど含有されたものであるとよい。
【００２２】
防水層、すなわち樹脂フィルム１３は、適宜の合成樹脂フィルムで構成されるが、使用後の廃棄処理のことを考慮すると、たとえばポリ乳酸等の成分からなる生分解性の樹脂フィルムであるのが好ましい。また、樹脂フィルム１３は、柔軟な性状を有する透明なものであるとよい。
【００２３】
これら基材シート１２と樹脂フィルム１３が、周知の貼り合わせ装置により、接着剤を用いて重ね合わされて一体化することで、保護シート１１が得られる。
【００２４】
このとき、後述するような用途に使用される保護シートの場合には、その厚みは０．１〜０．２ｍｍ程度でよく、基材シート１２の厚さｔ１と樹脂フィルム１３の厚さｔ２との関係は、図２に示したように、樹脂フィルム１３の厚さｔ２を基材シート１２の厚さｔ１の５分の１以下に設定するとよい。
【００２５】
具体的には、保護シート１１の厚さが０．１４ｍｍ程度である場合、基材シート１２の厚さｔ１を０．１２ｍｍ程度に、樹脂フィルム１３の厚さｔ２を０．０２ｍｍ程度に設定するとよい。
【００２６】
なお、上記接着剤には、米の粉からなるみじんこを用いたものを使用するとよい。生分解性の樹脂フィルム１３かなる防水層とともに、環境に負担をかけないようにすることができる。
【００２７】
このように構成された保護シート１１は、図３、図４に示したようにして、煙火の打ち揚げに際して煙火を火や水から守る煙火保護シート２１として使用される。
【００２８】
図中２２は、煙火セットであり、外ケース２３の中には煙火玉２４を入れた打ち揚げ筒２５が複数本収納されている。外ケース２３は、上面が開口した形態であり、煙火玉２４は、着火により、打ち揚げ筒２５から打ち揚げられる。
【００２９】
この煙火セット２２を打ち揚げ作業に伴って発生する火花や、突然の降雨などから保護するために、煙火保護シート２１として、上記保護シート１１が使用される。
【００３０】
この煙火保護シート２１は、煙火セット２２を被覆するのに必要な大きさに予め裁断されている。なお、基材シート１２には白色のものを使用し、樹脂フィルム１３には透明のものが使用されている。
【００３１】
使用に際しては、図３に示したように、防水層としての樹脂フィルム１３を上にして煙火セット２２の外ケース２３に上から被せる。被せた状態は、粘着テープ２６などの適宜の手段により固定する。
【００３２】
この状態のまま打ち揚げの時を待ち、そのままの状態で煙火玉２４の打ち揚げを行う。
【００３３】
打ち揚げ前にあっては、表面の防水層が、その裏側の基材シート１１と、被覆された煙火セット２２を濡れから保護する。
【００３４】
そして、煙火玉２４が打ち揚げられると、打ち揚げ筒２５内を上昇するとともに、煙火保護シート２１を破って、さらに上昇する。
【００３５】
このとき、煙火玉２４が最初に当たる部分は、煙火保護シート２１のうちの基材シート１１であって、この基材シート１１は自己消火型の不燃紙からなるので、たとえ火が接触しても燃え広がることはない。このため、複数本の打ち揚げ筒２５から煙火玉２４を、所望通りに順次打ち揚げることができる。
【００３６】
また、上述のように、防水層が基材シート１１や被覆された煙火セット２２を水から守るとともに、防水層は基材シート１１の強度を補い、不測の落下物による穴あきを防止する。
【００３７】
一方、基材シート１２は、上述のように煙火玉２４が打ち揚げられた時に火が着いても燃焼を防ぐとともに、煙火の火の粉が降りかかって防水層を燃やした場合でも、その燃焼を防ぐ。また、防水層の強度を補う。
【００３８】
煙火玉２４が打ち揚げられると、破れた煙火保護シート２１が飛散することになるが、基材シート１２は環境に無害な不燃紙からなるとともに、防水層も生分解性樹脂からなるので、たとえそのまま放置されたとしても、環境を害するものにはならない。
【００３９】
しかも、不燃紙は白色であり、防水層を構成する樹脂フィルム１３は透明であるので、破れた煙火保護シート２１が飛散しても、その状態は目立ちにくく、たとえばゴルフ場に飛散した場合でも、プレーを妨げるほどの障害を生じさせない。
【００４０】
また、そもそも、不燃紙と樹脂フィルム１３とを貼合してなるものであり、それぞれの性状を選定することで、保護シート自体１１の伸びや引張荷重等の機能を適宜設定できるので、煙火の打ち揚げによって煙火保護シート２１が破れた時の状態を、たとえば細かな破片にならないようにしたり、あるいは逆に細かな破片になるようにしたり調節して、ゴミとしての破片の飛散を少なくすることもできる。
【００４１】
さらに、樹脂フィルム１３の厚さｔ２は、基材シート１２の厚さｔ１の５分の１以下に設定されているので、樹脂の使用量を低減できて環境にかかる負担を軽減できるとともに、防水層が燃えやすい性質であっても、基材シート１２の厚さｔ１が防水シート１３の厚さｔ２に比して厚いので、充分に防水層の消火ができる。また、不燃紙の特性を減殺しないで、防水や補強の機能を得ることができ、いわば、基材シート１２と樹脂フィルム１３の各部の能力を最大限に引き出せる。このように、不燃性の基材シート１２と可燃性の樹脂フィルム１３とのそれぞれの特性を減殺することはなく、使用しやすく高性能の煙火保護シート２１を得られる。
【００４２】
なお、上記煙火保護シート２１は、適宜の大きさに裁断されることによって、煙火の打ち揚げに際して使用される精密機器（図示せず）などを保護するのにも使用できる。保護は、精密機器などを被覆するだけで簡単に行える。
【００４３】
以上はこの発明を実施するための一形態であって、この発明は上述の構成のみに限定されるものではなく、その他の形態を採用することも、その他の用途に使用することもできる。
【００４４】
たとえば、防水層は、樹脂フィルムの接着によらず、たとえばラミネートによって形成することもできる。
【図面の簡単な説明】
【００４５】
【図１】保護シートの斜視図。
【図２】保護シートの断面図。
【図３】煙火保護シートとその使用状態を示す断面図。
【図４】煙火保護シートの使用状態を示す断面図。
【符号の説明】
【００４６】
１１…保護シート
１２…基材シート
１３…樹脂フィルム
２１…煙火保護シート
【図１】
0004638379.tif 000002
【図２】
0004638379.tif 000003
【図３】
0004638379.tif 000004
【図４】
0004638379.tif 000005